(57)【要約】  本発明は、通信分野に関し、ＨＡＲＱフィードバックオーバーヘッドを低下させるための、ＤＣＩにおける情報ドメイン値を特定する方法及び装置を開示し、該方法は、ＨＡＲＱフィードバックを行う際に、ＮＯＮ−ｆａｌｌｂａｃｋ  ＤＣＩ（ＤＣＩフォーマット１＿１）において配置されたタイミング関係が指示する値のセットに従い、ｆａｌｌｂａｃｋ  ＤＣＩ（即ち、ＤＣＩフォーマット１＿０）におけるタイミング関係が指示する値のセットを特定することにより、ｆａｌｌｂａｃｋ  ＤＣＩとＮＯＮ−ｆａｌｌｂａｃｋ  ＤＣＩにおけるタイミング関係が指示する値の範囲が異なることによるコードブック増大の問題を解決し、ＨＡＲＱフィードバックオーバーヘッドを有効に低下させ、さらにシステム運転負荷を低下させ、システム性能を保証する。
2021513292.tif 000002
【特許請求の範囲】
【請求項１】
ユーザ装置ＵＥに対して、第１のＤＣＩフォーマットに対応するＤＣＩ情報ドメイン値のセットを配置するステップであって、前記ＤＣＩ情報ドメイン値のセットは、第１のＤＣＩフォーマットのＤＣＩを受信した場合、ＵＥの各物理的チャンネルのうち、２つずつの物理的チャンネル間のタイムスロットオフセットをＵＥに指示するステップと、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置するステップと、
を含むことを特徴とする、下り制御情報ＤＣＩ中の情報ドメイン値を特定する方法。
【請求項２】
無線リソース制御ＲＲＣメッセージを用いて、第１のＤＣＩフォーマットに対応して配置されたＤＣＩ情報ドメイン値のセットを前記ＵＥに通知することを特徴とする、請求項１に記載の方法。
【請求項３】
前記ＤＣＩ情報ドメイン値のセットに基づき、生成した第２のＤＣＩフォーマットのＤＣＩにおいて、指定された目標情報ドメインの現在値を設置するステップは、
前記ＤＣＩ情報ドメイン値のセットから１つの値を選択して、前記目標情報ドメインの現在値とするステップ、あるいは
第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とするステップを含む
ことを特徴とする、請求項１に記載の方法。
【請求項４】
前記ＤＣＩ情報ドメイン値のセットは、第１のＤＣＩフォーマットのＤＣＩを受信した場合、ＵＥの各物理的チャンネルのうち、２つずつの物理的チャンネル間のタイムスロットオフセットをＵＥに指示するステップは、
前記ＤＣＩ情報ドメイン値のセットは、物理的下り制御チャンネルＰＤＣＣＨが所在するタイムスロットと物理的下り共有チャンネルＰＤＳＣＨが所在するタイムスロットとのタイミング関係をＵＥに指示するステップ、あるいは
前記ＤＣＩ情報ドメイン値のセットは、ＰＤＳＣＨが所在するタイムスロットと物理的上り制御チャンネルＰＵＣＣＨ又は物理的上り共有チャンネルＰＵＳＣＨが所在するタイムスロットとのタイミング関係をＵＥに指示するステップを含む
ことを特徴とする、請求項１、２又は３に記載の方法。
【請求項５】
前記目標情報ドメインの現在値を設置した後、さらに、
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側から下りデータを受信するようにＵＥをトリガーするステップと、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側へのハイブリッド自動再送要求ＨＡＲＱフィードバックを行うようにＵＥをトリガーするステップと、
を含むことを特徴とする、請求項４に記載の方法。
【請求項６】
ネットワーク側により第１のＤＣＩフォーマットに対応して配置されたＤＣＩ情報ドメイン値のセットを特定するステップであって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップと、
ネットワーク側から送信された第２のＤＣＩフォーマットのＤＣＩを受信した場合、前記第２のＤＣＩフォーマットのＤＣＩにおける目標情報ドメインの現在値を取得するステップと、
前記目標情報ドメインの現在値が前記情報ドメイン値のセットの値の範囲を超えていないと特定した場合、前記目標情報ドメインの現在値が有効であると判定するステップと、
を含むことを特徴とする、下り制御情報ＤＣＩ中の情報ドメイン値を特定する方法。
【請求項７】
無線リソース制御ＲＲＣメッセージに基づいてネットワーク側により配置された、第１のＤＣＩフォーマットに対応するＤＣＩ情報ドメイン値のセットを取得することを特徴とする、請求項６に記載の方法。
【請求項８】
前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係を指示するステップ、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロットとのタイミング関係を指示するステップ、を含むことを特徴とする、請求項５に記載の方法。
【請求項９】
前記目標情報ドメインの現在値が有効であると特定した後、さらに、
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側から下りデータを受信するステップと、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側へのＨＡＲＱフィードバックを行うステップと、
を含むことを特徴とする、請求項５、６又は７に記載の方法。
【請求項１０】
ユーザ装置ＵＥに対して、第１のＤＣＩフォーマットに対応するＤＣＩ情報ドメイン値のセットを配置する配置手段であって、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示する配置手段と、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置する処理手段と、
を含むことを特徴とする、下り制御情報ＤＣＩにおける情報ドメイン値を特定する装置。
【請求項１１】
ネットワーク側により第１のＤＣＩフォーマットに対応して配置されたＤＣＩ情報ドメイン値のセットを特定する特定手段であって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示する特定手段と、
ネットワーク側から送信された第２のＤＣＩフォーマットのＤＣＩを受信した場合、前記第２のＤＣＩフォーマットのＤＣＩにおける目標情報ドメインの現在値を取得し、前記目標情報ドメインの現在値が前記情報ドメイン値のセットの値の範囲を超えていないと特定した場合、前記目標情報ドメインの現在値が有効であると判定する処理手段と、
を含むことを特徴とする、下り制御情報ＤＣＩにおける情報ドメイン値を特定する装置。
【請求項１２】
少なくともプロセッサー及び送受信機を含み、
プロセッサーは、メモリー中のプログラムを読み出し、
ユーザ装置ＵＥに対して、第１のＤＣＩフォーマットに対応するＤＣＩ情報ドメイン値のセットを配置するステップであって、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示するステップと、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置するステップと、を含むプロセスを実行し、
送受信機は、プロセッサーの制御によりデータを送信及び受信する
ことを特徴とする、ネットワーク側装置。
【請求項１３】
前記プロセッサーは前記送受信機によって無線リソース制御ＲＲＣメッセージを用いて第１のＤＣＩフォーマットに対応して配置されたＤＣＩ情報ドメイン値のセットを前記ＵＥに通知することを特徴とする、請求項１２に記載のネットワーク側装置。
【請求項１４】
前記ＤＣＩ情報ドメイン値のセットに基づき、生成した第２のＤＣＩフォーマットのＤＣＩにおいて、指定された目標情報ドメインの現在値を設置する場合、前記プロセッサーは、
前記ＤＣＩ情報ドメイン値のセットから１つの値を選択して前記目標情報ドメインの現在値とし、あるいは
第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とすることを特徴とする、請求項１２に記載のネットワーク側装置。
【請求項１５】
前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係をＵＥに指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロット間のタイミング関係をＵＥに指示することを含む
ことを特徴とする、請求項１２、１３又は１４に記載のネットワーク側装置。
【請求項１６】
前記目標情報ドメインの現在値を設置した後、前記プロセッサーは、さらに、
ＰＤＣＣＨが所在するタイムスロットとＰＤＳＣＨが所在するタイムスロットとのタイミング関係が前記ＤＣＩ情報ドメイン値のセットにより指示された場合、前記送受信機により前記第２のＤＣＩフォーマットのＤＣＩをＵＥに送信し、前記第２のＤＣＩフォーマットのＤＣＩにおける目標情報ドメインの現在値に基づいてネットワーク側から下りデータを受信するようにＵＥをトリガーし、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記送受信機により前記第２のＤＣＩフォーマットのＤＣＩをＵＥに送信し、前記第２のＤＣＩフォーマットのＤＣＩにおける目標情報ドメインの現在値に基づいてネットワーク側へのＨＡＲＱフィードバックを行うようにＵＥをトリガーする、ことを特徴とする、請求項１５に記載のネットワーク側装置。
【請求項１７】
少なくともプロセッサー及び送受信機を含み、
プロセッサーは、メモリー中のプログラムを読み出し、
ネットワーク側により第１のＤＣＩフォーマットに対応して配置されたＤＣＩ情報ドメイン値のセットを特定するステップであって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップと、
ネットワーク側から送信された第２のＤＣＩフォーマットのＤＣＩを受信した場合、前記第２のＤＣＩフォーマットのＤＣＩにおける目標情報ドメインの現在値を取得するステップと、
前記目標情報ドメインの現在値が前記情報ドメイン値のセットの値の範囲を超えていないと特定した場合、前記目標情報ドメインの現在値が有効であると判定するステップと、を含むプロセスを実行し、
送受信機は、プロセッサーの制御によりデータを送信及び受信することを特徴とする、ユーザ装置。
【請求項１８】
前記プロセッサーは、前記送受信機により、無線リソース制御ＲＲＣメッセージに基づいてネットワーク側により配置された、第１のＤＣＩフォーマットに対応するＤＣＩ情報ドメイン値のセットを取得することを特徴とする、請求項１７に記載のユーザ装置。
【請求項１９】
前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係を指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロットとのタイミング関係を指示することを含む、
ことを特徴とする、請求項１７に記載のユーザ装置。
【請求項２０】
前記目標情報ドメインの現在値が有効であると特定した後、前記プロセッサーは、さらに、
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側から下りデータを受信し、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側へのＨＡＲＱフィードバックを行うプロセスを実行することを特徴とする、請求項１７、１８又は１９に記載のユーザ装置。
【請求項２１】
下り制御情報ＤＣＩにおける情報ドメイン値の特定を実現するためのプログラムが記憶されており、
前記プログラムは、プロセッサーにより実行される場合、
ユーザ装置ＵＥに対して、第１のＤＣＩフォーマットに対応するＤＣＩ情報ドメイン値のセットを配置するステップであって、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示するステップと、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置するステップと、を実行することを特徴とする、記憶媒体。
【請求項２２】
下り制御情報ＤＣＩにおける情報ドメイン値の特定を実現するためのプログラムが記憶されており、
前記プログラムは、プロセッサーにより実行される場合、
ネットワーク側により第１のＤＣＩフォーマットに対応して配置されたＤＣＩ情報ドメイン値のセットを特定するステップであって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップと、
ネットワーク側から送信された第２のＤＣＩフォーマットのＤＣＩを受信した場合、前記第２のＤＣＩフォーマットのＤＣＩにおける目標情報ドメインの現在値を取得するステップと、
前記目標情報ドメインの現在値が前記情報ドメイン値のセットの値の範囲を超えていないと特定した場合、前記目標情報ドメインの現在値が有効であると判定するステップと、を実行する、ことを特徴とする、記憶媒体。
【発明の詳細な説明】
【技術分野】
【０００１】
本発明は、２０１８年０２月１２日に中国特許局に提出し、出願番号が２０１８１０１４６７８８．５であり、発明の名称が「ＤＣＩにおける情報ドメイン値を特定する方法及び装置」である中国特許出願を基礎とする優先権を主張し、その全ての内容を本発明に組み込む。
【０００２】
本発明は、通信分野に関し、特にＤＣＩにおける情報ドメイン値を特定する方法及び装置に関する。
【背景技術】
【０００３】
５Ｇシステムにおいて、新たな無線技術（Ｎｅｗ  Ｒａｄｉｏ，ＮＲ）では柔軟なタイミング関係をサポートする。物理的下り共有チャンネル（Ｐｈｙｓｉｃａｌ  Ｄｏｗｎｌｉｎｋ  Ｓｈａｒｅｄ  Ｃｈａｎｎｅｌ，ＰＤＳＣＨ）に対して、そのスケジューリング情報をキャリアする下り制御情報（Ｄｏｗｎｌｉｎｋ  Ｃｏｎｔｒｏｌ  Ｉｎｆｏｒｍａｔｉｏｎ，ＤＣＩ）は、ＰＤＳＣＨとＤＣＩとのタイミング関係、及びＰＤＳＣＨから対応するハイブリッド自動再送要求（Ｈｙｂｒｉｄ  Ａｕｔｏｍａｔｉｃ  Ｒｅｐｅａｔ  ｒｅＱｕｅｓｔ，ＨＡＲＱ）フィードバックとのタイミング関係を指示する。
【０００４】
具体的に、ＤＣＩ中に２つの情報ドメインが含まれ、１つはタイムドメインリソース割当ドメインであり、もう１つはＰＤＳＣＨからＨＡＲＱへのフィードバックタイミング指示ドメインである。図１に示すように、実際の使用において、タイムドメインリソース割当ドメインは、ＰＤＳＣＨが所在するタイムスロットとＤＣＩが所在するタイムスロットとのタイムスロットオフセットＫ０を含み、一方、ＰＤＳＣＨからＨＡＲＱへのフィードバックタイミング指示ドメインは、ＰＤＳＣＨの終了からＨＡＲＱフィードバックの開始までのタイムスロットの個数Ｋ１を指示する。
【０００５】
現在、ＰＤＳＣＨをスケジューリングするためのＤＣＩは、２種類のフォーマットがあり、１つは、ＤＣＩフォーマット１＿０であり、もう１つはＤＣＩフォーマット１＿１である。そのうち、ＤＣＩフォーマット１＿０はフォールバックＤＣＩ（ｆａｌｌｂａｃｋ  ＤＣＩ）であり、ＤＣＩフォーマット１＿０を用いる場合、各ＤＣＩ情報ドメインのビット数及び値のセットが配置不可であり、一方、ＤＣＩフォーマット１＿１はＮＯＮ−ｆａｌｌｂａｃｋ  ＤＣＩであり、ＤＣＩフォーマット１＿１を用いる場合、ＤＣＩにおける各情報ドメインのビット数及び／又は値のセットが配置可能である。
【０００６】
Ｋ１を例とすると、ＤＣＩフォーマット１＿０がサポートするＫ１値のセットは、プロトコル中で規定されており、具体的には｛１，２，３，４，５，６，７，８｝を含み、一方、ＤＣＩフォーマット１＿１がサポートするＫ１値のセットは、ネットワーク側から無線リソース制御（Ｒａｄｉｏ  Ｒｅｓｏｕｒｃｅ  Ｃｏｎｔｒｏｌ，ＲＲＣ）シグナリングにより通知され、具体的には｛０，１，２，３，４，５，６，７，８｝の中から、最大限８つの値を配置するように選択することができ、Ｋ１値のセットを設置した後、１回当たりにＤＣＩ中に携帯されるＫ１は、相応するＫ１値のセットから１つを選択して通知することができる。
【０００７】
しかしながら、従来技術において、ネットワーク側でＤＣＩフォーマット１＿０のフォーマットを用いてＤＣＩを送信する際に使用されるＫ１値のセット（以下、第１のセットと略称）と、ＤＣＩフォーマット１＿１のフォーマットを用いてＤＣＩを送信する際に使用されるＫ１値のセット（以下、第２のセットと略称）とは、値の範囲が異なる可能性があり、かつ、ネットワーク側ではＰＤＳＣＨスケジューリングを実現するためにＤＣＩフォーマット１＿０のフォーマット又はＤＣＩフォーマット１＿１を動的に選択してＤＣＩを送信することができ、そこで、端末はＰＤＳＣＨスケジューリングを応答するために半静的ＨＡＲＱフィードバックを行う際に、上記第１のセットと第２のセット値のセット及び最大値を合わせて考慮して、フィードバック過程において使用されるコードブックの大きさを考慮する必要があるため、不必要なフィードバックオーバーヘッドが発生してしまう。
【０００８】
例えば、端末が終始ＤＣＩフォーマット１＿０のフォーマットに対応するタイミング関係の値の範囲に基づいてＨＡＲＱフィードバックを行う際に使用されるコードブックの大きさを特定すると仮定すれば、Ｋ１を例とすると、即ち、端末が終始Ｋ１値のセットが０から７の合計８つの値であると認定し、８つのＫ１の値に従いコードブックの大きさを設定すると仮定し、しかし、ネットワーク側でＤＣＩフォーマット１＿１を用いてＤＣＩを送信するように動的に切り替えて、かつ、現在配置されたＫ１値のセットが０から３の合計４つの値であると仮定すると、この場合、端末は依然として８つのＫ１の値に従いＨＡＲＱフィードバック際に使用されるコードブックの大きさを特定し、明らかにコードブックの大きさの不必要な増加を引き起こし、ＨＡＲＱフィードバックオーバーヘッドをある程度増加させてしまう。
【発明の概要】
【課題を解決するための手段】
【０００９】
本発明の実施例は、ＨＡＲＱフィードバックオーバーヘッドを低下させるための、ＤＣＩにおける情報ドメイン値を特定する方法を提供する。
【００１０】
本発明の実施例が提供する具体的な技術的解決手段は以下の通りである。
【００１１】
下り制御情報ＤＣＩ中の情報ドメイン値を特定する方法であって、
ユーザ装置（Ｕｓｅｒ  Ｅｑｕｉｐｍｅｎｔ，ＵＥ）に対して、第１のＤＣＩフォーマットに対応するＤＣＩ情報ドメイン値のセットを配置するステップであって、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示するステップと、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置するステップと、を含む。
【００１２】
あるいは、無線リソース制御ＲＲＣメッセージを用いて、第１のＤＣＩフォーマットに対応して配置されたＤＣＩ情報ドメイン値のセットを前記ＵＥに通知する。
【００１３】
あるいは、前記ＤＣＩ情報ドメイン値のセットに基づき、生成した第２のＤＣＩフォーマットのＤＣＩにおいて、指定された目標情報ドメインの現在値を設置するステップは、
前記ＤＣＩ情報ドメイン値のセットから１つの値を選択して、前記目標情報ドメインの現在値とするステップ、あるいは
第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とするステップ、を含む。
【００１４】
あるいは、前記目標情報ドメインの現在値を設置した後、さらに
物理的下り制御チャンネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）が所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側から下りデータを受信するようにＵＥをトリガーするステップと、
ＰＤＳＣＨが所在するタイムスロットと物理的上り制御チャンネル（Ｐｈｙｓｉｃａｌ  Ｕｐｌｉｎｋ  Ｃｏｎｔｒｏｌ  Ｃｈａｎｎｅｌ  ，ＰＵＣＣＨ）又は物理的上り共有チャンネル（Ｐｈｙｓｉｃａｌ  Ｕｐｌｉｎｋ  Ｓｈａｒｅｄ  Ｃｈａｎｎｅｌ，ＰＵＳＣＨ）が所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側へのＨＡＲＱフィードバックを行うようにＵＥをトリガーするステップと、を含む。
【００１５】
下り制御情報（ＤＣＩ）中の情報ドメイン値を特定する方法であって、
ネットワーク側により第１のＤＣＩフォーマットに対応して配置されたＤＣＩ情報ドメイン値のセットを特定するステップであって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップと、
ネットワーク側から送信された第２のＤＣＩフォーマットのＤＣＩを受信した場合、前記第２のＤＣＩフォーマットのＤＣＩにおける目標情報ドメインの現在値を取得するステップと、
前記目標情報ドメインの現在値が前記情報ドメイン値のセットの値の範囲を超えていないと特定した場合、前記目標情報ドメインの現在値が有効であると判定するステップと、を含む。
【００１６】
あるいは、無線リソース制御ＲＲＣメッセージに基づいてネットワーク側により配置された、第１のＤＣＩフォーマットに対応するＤＣＩ情報ドメイン値のセットを取得する。
【００１７】
あるいは、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係を指示するステップ、あるいは、
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロットとのタイミング関係を指示するステップ、を含む。
【００１８】
あるいは、前記目標情報ドメインの現在値が有効であると特定した後、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側から下りデータを受信するステップと、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側へのＨＡＲＱフィードバックを行うステップと、を含む。
【００１９】
下り制御情報ＤＣＩにおける情報ドメイン値を特定する装置であって、
ユーザ装置ＵＥに対して、第１のＤＣＩフォーマットに対応するＤＣＩ情報ドメイン値のセットを配置する配置手段であって、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示する配置手段と、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置する処理手段と、を含む。
【００２０】
あるいは、前記処理手段は、無線リソース制御ＲＲＣメッセージを用いて、第１のＤＣＩフォーマットに対応して配置されたＤＣＩ情報ドメイン値のセットを前記ＵＥに通知する。
【００２１】
あるいは、前記ＤＣＩ情報ドメイン値のセットに基づき、生成した第２のＤＣＩフォーマットのＤＣＩにおいて、指定された目標情報ドメインの現在値を設置する際に、前記処理手段は、
前記ＤＣＩ情報ドメイン値のセットから１つの値を選択して前記目標情報ドメインの現在値とし、あるいは
第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とする。
【００２２】
あるいは、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係をＵＥに指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロット間のタイミング関係をＵＥに指示すること、を含む。
【００２３】
あるいは、前記目標情報ドメインの現在値を設置した後、前記処理手段は、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側から下りデータを受信するようにＵＥをトリガーし、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側へのＨＡＲＱフィードバックを行うようにＵＥをトリガーする。
【００２４】
下り制御情報ＤＣＩにおける情報ドメイン値を特定する装置であって、
ネットワーク側により第１のＤＣＩフォーマットに対応して配置されたＤＣＩ情報ドメイン値のセットを特定する特定手段であって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示する特定手段と、
ネットワーク側から送信された第２のＤＣＩフォーマットのＤＣＩを受信した場合、前記第２のＤＣＩフォーマットのＤＣＩにおける目標情報ドメインの現在値を取得し、前記目標情報ドメインの現在値が前記情報ドメイン値のセットの値の範囲を超えていないと特定した場合、前記目標情報ドメインの現在値が有効であると判定する処理手段と、を含む。
【００２５】
あるいは、前記特定手段は、無線リソース制御ＲＲＣメッセージに基づき、ネットワーク側により配置された、第１のＤＣＩフォーマットに対応するＤＣＩ情報ドメイン値のセットを取得する。
【００２６】
あるいは、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係を指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロットとのタイミング関係を指示すること、を含む。
【００２７】
あるいは、前記目標情報ドメインの現在値が有効であると特定した後、前記処理手段は、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側から下りデータを受信し、あるいは
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側へのＨＡＲＱフィードバックを行う。
【００２８】
ネットワーク側装置であって、少なくともプロセッサー及び送受信機を含み、
プロセッサーは、メモリー中のプログラムを読み出し、
ユーザ装置ＵＥに対して、第１のＤＣＩフォーマットに対応するＤＣＩ情報ドメイン値のセットを配置するステップであって、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示するステップと、
送受信機により第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置するステップと、を含むプロセスを実行し、
送受信機は、プロセッサーの制御によりデータを送信及び受信する。
【００２９】
あるいは、前記送受信機無線リソース制御ＲＲＣメッセージを用いて、第１のＤＣＩフォーマットに対応して配置されたＤＣＩ情報ドメイン値のセットを前記ＵＥに通知する。
【００３０】
前記ＤＣＩ情報ドメイン値のセットに基づき、生成した第２のＤＣＩフォーマットのＤＣＩにおいて、指定された目標情報ドメインの現在値を設置する際に、前記プロセッサーは、
前記ＤＣＩ情報ドメイン値のセットから１つの値を選択して前記目標情報ドメインの現在値とし、あるいは
第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とする。
【００３１】
前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係をＵＥに指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロット間のタイミング関係をＵＥに指示すること、を含む。
【００３２】
あるいは、前記目標情報ドメインの現在値を設置した後、プロセッサーは、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側から下りデータを受信するようにＵＥをトリガーし、あるいは
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側へのＨＡＲＱフィードバックを行うようにＵＥをトリガーする。
【００３３】
ユーザ装置であって、少なくともプロセッサー及び送受信機を含み、
プロセッサーは、メモリー中のプログラムを読み出し、
ネットワーク側により第１のＤＣＩフォーマットに対応して配置されたＤＣＩ情報ドメイン値のセットを特定するステップであって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップと、
ネットワーク側から送信された第２のＤＣＩフォーマットのＤＣＩを受信した場合、前記第２のＤＣＩフォーマットのＤＣＩにおける目標情報ドメインの現在値を取得するステップと、
前記目標情報ドメインの現在値が前記情報ドメイン値のセットの値の範囲を超えていないと特定した場合、前記目標情報ドメインの現在値が有効であると判定するステップと、を含むプロセスを実行し、
送受信機は、プロセッサーの制御によりデータを送信及び受信する。
【００３４】
あるいは、前記プロセッサーは、前記送受信機により、無線リソース制御（ＲＲＣ）メッセージに基づいてネットワーク側に配置された、第１のＤＣＩフォーマットに対応するＤＣＩ情報ドメイン値のセットを取得する。
【００３５】
あるいは、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係を指示するステップ、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロットとのタイミング関係を指示するステップ、を含む。
【００３６】
あるいは、前記目標情報ドメインの現在値が有効であると特定した後、前記プロセッサーは、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側から下りデータを受信し、あるいは
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側へのＨＡＲＱフィードバックを行う。
【００３７】
記憶媒体であって、下り制御情報ＤＣＩにおける情報ドメイン値の特定を実現するためのプログラムが記憶されており、前記プログラムは、プロセッサーにより実行される場合、
ユーザ装置ＵＥに対して、第１のＤＣＩフォーマットに対応するＤＣＩ情報ドメイン値のセットを配置するステップであって、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示するステップと、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置するステップと、を実行する。
【００３８】
記憶媒体であって、特定下り制御情報ＤＣＩにおける情報ドメイン値の特定を実現するためのプログラムが記憶されており、前記プログラムは、プロセッサーにより実行される場合、
ネットワーク側に第１のＤＣＩフォーマットに対応して配置されたＤＣＩ情報ドメイン値のセットを特定するステップであって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップと、
ネットワーク側から送信された第２のＤＣＩフォーマットのＤＣＩを受信した場合、前記第２のＤＣＩフォーマットのＤＣＩにおける目標情報ドメインの現在値を取得するステップと、
前記目標情報ドメインの現在値が前記情報ドメイン値のセットの値の範囲を超えていないと特定した場合、前記目標情報ドメインの現在値が有効であると判定するステップと、を実行する。
【００３９】
本発明の実施例において、ネットワーク側により第１のＤＣＩフォーマットに対して情報ドメイン値のセットが設置された後、第２のＤＣＩフォーマットを用いてＤＣＩを端末に送信する際に、第１のＤＣＩフォーマットに対応して設置された情報ドメイン値のセットに基づいて相応する情報ドメイン値を選択し、これに応じて、端末は、第１のＤＣＩに対応して設置された情報ドメイン値のセットを取得した後、第２のＤＣＩフォーマットに基づいて送信されたＤＣＩを受信した場合、その中の情報ドメイン値が第１のＤＣＩに対応して設置された情報ドメイン値の範囲を超えていないと特定した場合のみ、ＨＡＲＱフィードバックを行う。要するに、本発明の実施例は、ＮＯＮ−ｆａｌｌｂａｃｋ  ＤＣＩ（ＤＣＩフォーマット１＿１）において配置されたタイミング関係が指示する値のセットに従い、ｆａｌｌｂａｃｋ  ＤＣＩ（即ち、ＤＣＩフォーマット１＿０）におけるタイミング関係が指示する値のセットを特定することにより、ｆａｌｌｂａｃｋ  ＤＣＩとＮＯＮ−ｆａｌｌｂａｃｋ  ＤＣＩにおけるタイミング関係が指示する値の範囲が異なることによるコードブック増大の問題を解決し、ＨＡＲＱフィードバックオーバーヘッドを有効に低下させ、さらにシステム運転負荷を低下させ、システム性能を有効に保証する。
【図面の簡単な説明】
【００４０】
【図１】図１は本発明の実施例においてＤＣＩにおける各情報ドメイン間のタイミング関係の模式図である。
【図２】図２は本発明の実施例においてネットワーク側でＤＣＩにおける情報ドメイン値を特定する模式フローチャートである。
【図３】図３は本発明の実施例においてＵＥでＤＣＩにおける情報ドメイン値を特定する模式フローチャートである。
【図４】図４は本発明の実施例においてネットワーク側装置の論理的機能構造の模式図である。
【図５】図５は本発明の実施例においてユーザ装置の論理的機能構造の模式図である。
【図６】図６は本発明の実施例においてネットワーク側装置のエンティティ機能構造の模式図である。
【図７】図７は本発明の実施例においてユーザ装置の論理的機能構造の模式図である。
【発明を実施するための形態】
【００４１】
ＨＡＲＱフィードバックオーバーヘッドを低下させるために、本発明の実施例において、ネットワーク側は、第１のＤＣＩフォーマットおよび第２のＤＣＩフォーマットを用いてＤＣＩを送信する際に、同一情報ドメイン値のセットを共有し、これに応じて、端末は、第１のＤＣＩフォーマットのＤＣＩ及び第２のＤＣＩフォーマットのＤＣＩに対して、いずれも同一情報ドメイン値のセットを用いてＨＡＲＱフィードバックを行う。
【００４２】
以下、図面を参照しながら本発明の好適な実施形態を詳しく説明する。
【００４３】
本発明の実施例において、ネットワーク側は、ＵＥに対して、第１のＤＣＩフォーマットに対応するＤＣＩ情報ドメイン値のセットを配置し、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示し、その後、ネットワーク側は、第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置する。
【００４４】
ここで、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示し、通常、下記２つの場合を含むが、これらに限定されない。
【００４５】
１つは、前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係をＵＥに指示する。
【００４６】
要するに、ネットワーク側は、前記ＤＣＩ情報ドメイン値のセットにより、ＤＣＩフォーマット１＿１に含まれるタイムドメインリソース割当ドメイン（即ち、Ｋ０）の値のセットを設置することができる。
【００４７】
このようにして、ネットワーク側は、ＤＣＩフォーマット１＿０を用いてＤＣＩを送信する際に、前記ＤＣＩ情報ドメイン値のセットを参考にしてＫ０の現在値を設置することができ、これに応じて、ＵＥは、ＤＣＩフォーマット１＿０のＤＣＩを受信した後、Ｋ０の値に従い、ＰＤＳＣＨにおいて下りデータを受信することができる。
【００４８】
もう１つは、前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロット間のタイミング関係をＵＥに指示する。
【００４９】
要するに、ネットワーク側は、前記ＤＣＩ情報ドメイン値のセットにより、ＤＣＩフォーマット１＿１に含まれるＰＤＳＣＨからＨＡＲＱへのフィードバックタイミング指示ドメイン（即ち、Ｋ１）の値のセットを設置することができる。
【００５０】
このようにして、ネットワーク側は、ＤＣＩフォーマット１＿０を用いてＤＣＩを送信する際に、前記ＤＣＩ情報ドメイン値のセットを参考にしてＫ１の現在値を設置することができ、これに応じて、ＵＥは、ＤＣＩフォーマット１＿０のＤＣＩを受信した後、Ｋ１の値に従い、ＰＵＣＣＨ又はＰＵＳＣＨにおいてＨＡＲＱフィードバックを行うことができる。
【００５１】
図２に示すように、後述の実施例において、説明の便宜上、Ｋ１を例として、ネットワーク側がＤＣＩにおける情報ドメイン値を特定する詳しいフローを以下のように紹介する。
【００５２】
ステップ２００において、ネットワーク側は、ＵＥに対して、第１のＤＣＩフォーマットに対応するＤＣＩ情報ドメイン値のセットを配置し、前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロット間のタイミング関係、即ち、ＰＤＳＣＨとＨＡＲＱフィードバックとのタイミング関係をＵＥに指示する。
【００５３】
例えば、ネットワーク側は、ＲＲＣメッセージによりＵＥ１のために、ＤＣＩフォーマット１＿１のＤＣＩにおける「ＰＤＳＣＨからＨＡＲＱへのフィードバックタイミング指示ドメイン」の値のセットが｛１，２，３，４｝であるコンテンツを配置したと仮定する。
【００５４】
また、例えば、ネットワーク側はＲＲＣメッセージによりＵＥ２のために、ＤＣＩフォーマット１＿１における「ＰＤＳＣＨからＨＡＲＱへのフィードバックタイミング指示ドメイン」の値のセットが｛１，２，３，４，５，６｝であるコンテンツを配置したと仮定する。
【００５５】
実際の使用において、ＤＣＩフォーマット１＿０のＤＣＩはプロトコルの規定に従い情報ドメイン値を配置し、一方、ＤＣＩフォーマット１＿１のＤＣＩは、ネットワーク側により情報ドメイン値を動的に配置することができるので、本発明の実施例において、ＤＣＩフォーマット１＿１のＤＣＩは、第１のＤＣＩフォーマットのＤＣＩとも称され、ＤＣＩフォーマット１＿０のＤＣＩは、第２のＤＣＩフォーマットのＤＣＩとも称され、同時に、前処理段階において、ネットワーク側がＲＲＣメッセージによりＤＣＩフォーマット１＿１のＤＣＩのＤＣＩ情報ドメイン値のセットをＵＥに通知し、その後、ネットワーク側がＤＣＩフォーマット１＿０のＤＣＩを用いる際に、ＤＣＩフォーマット１＿１のＤＣＩに対して配置されたＤＣＩ情報ドメイン値のセットを参考にして、ＤＣＩフォーマット１＿０のＤＣＩにおける「ＰＤＳＣＨからＨＡＲＱへのフィードバックタイミング指示ドメイン」という情報ドメインの現在値を配置することができる。
【００５６】
ステップ２１０において、ネットワーク側は、第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置する。
【００５７】
具体的に、ステップ２１０を実行する際に、下記の２つの方式を用いることができるが、これらに限定されない。
【００５８】
第１の方式は、第１のＤＣＩフォーマットに対応して設置されたＤＣＩ情報ドメイン値のセットから１つの値を選択して、第２のＤＣＩフォーマットのＤＣＩにおける目標情報ドメインの現在値とする。
【００５９】
例えば、ネットワーク側は、ＤＣＩフォーマット１＿０のＤＣＩを用いてＵＥ１をスケジューリングすると仮定すると、ネットワーク側は、ＤＣＩフォーマット１＿０における「ＰＤＳＣＨからＨＡＲＱへのフィードバックタイミング指示ドメイン」の値の範囲を、ＵＥ１に対して配置されたＤＣＩフォーマット１＿１のＤＣＩにおける「ＰＤＳＣＨからＨＡＲＱへのフィードバックタイミング指示ドメイン」の値のセット、即ち｛１，２，３，４｝を参考にし、その中から１つの値を選択してＤＣＩフォーマット１＿０における「ＰＤＳＣＨからＨＡＲＱへのフィードバックタイミング指示ドメイン」を配置し、すなわち、ネットワーク側は、ＵＥ１に対するＤＣＩフォーマット１＿０のＤＣＩにおける「ＰＤＳＣＨからＨＡＲＱへのフィードバックタイミング指示ドメイン」を５、６、７、８のうちの１つに設置することを避ける。
【００６０】
また、例えば、ネットワーク側は、ＤＣＩフォーマット１＿０のＤＣＩを用いてＵＥ２をスケジューリングすると仮定すると、ネットワーク側は、ＤＣＩフォーマット１＿０における「ＰＤＳＣＨからＨＡＲＱへのフィードバックタイミング指示ドメイン」の値の範囲を、ＵＥ２に対して配置されたＤＣＩフォーマット１＿１のＤＣＩにおける「ＰＤＳＣＨからＨＡＲＱへのフィードバックタイミング指示ドメイン」の値のセット、即ち｛１，２，３，４，５，６｝を参考にし、その中から１つの値を選択してＤＣＩフォーマット１＿０における「ＰＤＳＣＨからＨＡＲＱへのフィードバックタイミング指示ドメイン」を配置し、即ち、ネットワーク側は、ＵＥ２に対するＤＣＩフォーマット１＿０のＤＣＩにおける「ＰＤＳＣＨからＨＡＲＱへのフィードバックタイミング指示ドメイン」を、７、８のうちの１つに設置することを避ける。
【００６１】
第２の方式は、第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とする。
【００６２】
例えば、ネットワーク側は、ＤＣＩフォーマット１＿０のＤＣＩを用いてＵＥ１をスケジューリングすると仮定すると、ネットワーク側は、ＵＥ１に対して配置されたＤＣＩフォーマット１＿１のＤＣＩにおける「ＰＤＳＣＨからＨＡＲＱへのフィードバックタイミング指示ドメイン」の値のセット、即ち、｛１，２，３，４｝を参考にし、プロトコルの規定に従いＤＣＩフォーマット１＿０に対応して配置されたもう１つのＤＣＩ情報ドメイン値のセット｛１，２，３，４，５，６，７，８｝から１つの値（例えば、４）を選択し、しかも選択した１つの値が｛１，２，３，４｝のうちの最大値以下であると特定した場合、この値を用いてＤＣＩフォーマット１＿０における「ＰＤＳＣＨからＨＡＲＱへのフィードバックタイミング指示ドメイン」を配置し、即ち、ネットワーク側は、ＵＥ１に対するＤＣＩフォーマット１＿０のＤＣＩにおける「ＰＤＳＣＨからＨＡＲＱへのフィードバックタイミング指示ドメイン」を、５、６、７、８のうちの１つに設置することを避ける。
【００６３】
また、例えば、ネットワーク側はＤＣＩフォーマット１＿０のＤＣＩを用いてＵＥ２をスケジューリングすると仮定すると、ネットワーク側は、ＵＥ２に対して配置されたＤＣＩフォーマット１＿１のＤＣＩにおける「ＰＤＳＣＨからＨＡＲＱへのフィードバックタイミング指示ドメイン」の値のセット、即ち、｛１，２，３，４，５，６｝を参考にし、プロトコルの規定に従いＤＣＩフォーマット１＿１に対応して配置されたもう１つのＤＣＩ情報ドメイン値のセット｛１，２，３，４，５，６，７，８｝から１つの値（例えば、５）を選択し、しかも選択した１つの値が｛１，２，３，４，５，６｝のうちの最大値以下であると特定した場合、この値を用いてＤＣＩフォーマット１＿０における「ＰＤＳＣＨからＨＡＲＱへのフィードバックタイミング指示ドメイン」を配置し、即ち、ネットワーク側は、ＵＥ２に対するＤＣＩフォーマット１＿０のＤＣＩにおける「ＰＤＳＣＨからＨＡＲＱへのフィードバックタイミング指示ドメイン」を７、８のうちの１つに設置することを避ける。
【００６４】
ステップ２２０において、ネットワーク側は、前記第２のＤＣＩフォーマットのＤＣＩをＵＥに送信し、前記第２のＤＣＩフォーマットのＤＣＩにおける目標情報ドメインの現在値に基づいてネットワーク側へのＨＡＲＱフィードバックを行うようにＵＥをトリガーする。
【００６５】
ネットワーク側は、生成したＤＣＩフォーマット１＿０のフォーマットのＤＣＩをＵＥに送信して、「ＰＤＳＣＨからＨＡＲＱへのフィードバックタイミング指示ドメイン」の現在値に基づいてネットワーク側へのＨＡＲＱフィードバックを行うようにＵＥをトリガーすることができる。
【００６６】
上記の実施例に基づき、図３に示すように、本発明の実施例では、依然としてＫ１を例として、ＵＥがＤＣＩにおける情報ドメイン値を特定する詳しいフローを以下のように紹介する。
【００６７】
ステップ３００において、ＵＥは、ネットワーク側が第１のＤＣＩフォーマットのＤＣＩに対応して配置したＤＣＩ情報ドメイン値のセットを特定し、前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロットとのタイミング関係を指示する。
【００６８】
例えば、ＵＥは、ＲＲＣメッセージによりネットワーク側がＵＥ１に対して配置した、ＤＣＩフォーマット１＿１のＤＣＩにおける「ＰＤＳＣＨからＨＡＲＱへのフィードバックタイミング指示ドメイン」の値のセットが｛１，２，３，４｝であるコンテンツを取得すると仮定する。
【００６９】
また、例えば、ＵＥは、ＲＲＣメッセージによりネットワーク側がＵＥ２に対して配置した、ＤＣＩフォーマット１＿１における「ＰＤＳＣＨからＨＡＲＱへのフィードバックタイミング指示ドメイン」の値のセットが｛１，２，３，４，５，６｝であるコンテンツを取得すると仮定する。
【００７０】
ステップ３１０において、ＵＥは、ネットワーク側から送信された第２のＤＣＩフォーマットのＤＣＩを受信した場合、前記第２のＤＣＩフォーマットのＤＣＩにおける目標情報ドメインの現在値を取得する。
【００７１】
具体的に、ＵＥは、ネットワーク側から送信されたＤＣＩフォーマット１＿０のＤＣＩを受信した場合、その中の「ＰＤＳＣＨからＨＡＲＱへのフィードバックタイミング指示ドメイン」（即ち、目標情報ドメイン）の現在値を取得する。
【００７２】
例えば、ＵＥ１が取得した「ＰＤＳＣＨからＨＡＲＱへのフィードバックタイミング指示ドメイン」の現在値が３であると仮定する。
【００７３】
また、例えば、ＵＥ２が取得した「ＰＤＳＣＨからＨＡＲＱへのフィードバックタイミング指示ドメイン」の現在値が８であると仮定する。
【００７４】
ステップ３２０において、ＵＥは、前記目標情報ドメインの現在値が前記情報ドメイン値のセットの値の範囲を超えていないと特定した場合、前記目標情報ドメインの現在値が有効であると判定し、前記現在値に従いネットワーク側へのＨＡＲＱフィードバックを行う。
【００７５】
さらに、ＵＥは、前記目標情報ドメインの現在値が前記情報ドメイン値のセットの値の範囲を超えていると特定した場合、前記目標情報ドメインの現在値を無効値と見なし、ＨＡＲＱフィードバックを実行しない。
【００７６】
例えば、ＵＥ１が取得した「ＰＤＳＣＨからＨＡＲＱへのフィードバックタイミング指示ドメイン」の現在値が３であり、ＵＥ１に対して設置された、ＤＣＩフォーマット１＿１のＤＣＩにおける「ＰＤＳＣＨからＨＡＲＱへのフィードバックタイミング指示ドメイン」の値のセット｛１，２，３，４｝を超えていないので、ＵＥ１は、「３」が指示するタイミング関係に従い、ＰＤＳＣＨの後にある相応するタイムスロットにおいてＨＡＲＱフィードバックを行う。
【００７７】
また、例えば、ＵＥ２が取得した「ＰＤＳＣＨからＨＡＲＱへのフィードバックタイミング指示ドメイン」の現在値が８であり、ＵＥ２に対して設置された、ＤＣＩフォーマット１＿１における「ＰＤＳＣＨからＨＡＲＱへのフィードバックタイミング指示ドメイン」の値のセット｛１，２，３，４，５，６｝を超えているので、ＵＥ２は「８」を無効値であると見なし、今回のＰＤＳＣＨスケジューリングを無視するか、あるいは今回のＰＤＳＣＨスケジューリングに対するＨＡＲＱフィードバックを実行しない。
【００７８】
上記の実施例は、いずれもＤＣＩフォーマット１＿１のＤＣＩに対応してＫ１の情報ドメイン値のセットを設置する例を紹介するものであり、実際の使用において、ＤＣＩフォーマット１＿１のＤＣＩに対応してＫ０の情報ドメイン値のセットを設置する使用場面にも適用でき、この場面において、ネットワーク側は、ＤＣＩフォーマット１＿１のＤＣＩに対応してＫ０の情報ドメイン値のセットを設置し、即ち、ＰＤＣＣＨが所在するタイムスロットとＰＤＳＣＨが所在するタイムスロットとのタイムスロットオフセットを設置し、次いで、ネットワーク側は、ＤＣＩフォーマット１＿０のＤＣＩをＵＥに送信する際に、上記情報ドメイン値のセットに従いＤＣＩにおけるタイムドメインリソース割当ドメイン（即ち、Ｋ０）の現在値を設置し、ＵＥは、受信したＤＣＩフォーマット１＿０のＤＣＩに指示されるＫ０の現在値に従い、相応するＰＤＳＣＨにおいてネットワーク側から送信された下りデータを受信し、具体的なプロセスが、Ｋ１を設置及び使用するプロセスと同様であり、ここではその説明を省略する。
【００７９】
上記の実施例に基づき、図４に示すように、本発明の実施例において、ＤＣＩにおける情報ドメイン値を特定する装置（例えば、ネットワーク側装置）は、少なくとも配置手段４０と処理手段４１とを含み、
配置手段４０は、ユーザ装置ＵＥに対して、第１のＤＣＩフォーマットに対応するＤＣＩ情報ドメイン値のセットを配置し、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示し、
処理手段４１は、第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置する。
【００８０】
あるいは、前記処理手段４１は、無線リソース制御（ＲＲＣ）メッセージを用いて、第１のＤＣＩフォーマットに対応して配置されたＤＣＩ情報ドメイン値のセットを前記ＵＥに通知する。
【００８１】
あるいは、前記ＤＣＩ情報ドメイン値のセットに基づき、生成した第２のＤＣＩフォーマットのＤＣＩにおいて、指定された目標情報ドメインの現在値を設置する際に、前記処理手段４１は、
前記ＤＣＩ情報ドメイン値のセットから１つの値を選択して前記目標情報ドメインの現在値とし、あるいは
第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とする。
【００８２】
あるいは、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係をＵＥに指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロット間のタイミング関係をＵＥに指示すること、を含む。
【００８３】
あるいは、前記目標情報ドメインの現在値を設置した後、前記処理手段４１は、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側から下りデータを受信するようにＵＥをトリガーし、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づき、ネットワーク側へのＨＡＲＱフィードバックを行うようにＵＥをトリガーする。
【００８４】
図５に示すように、本発明の実施例において、ＤＣＩにおける情報ドメイン値を特定する装置（例えば、ＵＥ）は、少なくとも特定手段５０と処理手段５１とを含み、
特定手段５０は、ネットワーク側が第１のＤＣＩフォーマットに対応して配置したＤＣＩ情報ドメイン値のセットを特定し、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示し、
処理手段５１は、ネットワーク側から送信された第２のＤＣＩフォーマットのＤＣＩを受信した場合、前記第２のＤＣＩフォーマットのＤＣＩにおける目標情報ドメインの現在値を取得し、前記目標情報ドメインの現在値が前記情報ドメイン値のセットの値の範囲を超えていないと特定した場合、前記目標情報ドメインの現在値が有効であると判定する。
【００８５】
あるいは、前記特定手段５０は、無線リソース制御（ＲＲＣ）メッセージに基づき、ネットワーク側が配置した、第１のＤＣＩフォーマットに対応するＤＣＩ情報ドメイン値のセットを取得する。
【００８６】
あるいは、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係を指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロットとのタイミング関係を指示すること、を含む。
【００８７】
あるいは、前記目標情報ドメインの現在値が有効であると特定した後、前記処理手段５１は、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側から下りデータを受信し、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側へのＨＡＲＱフィードバックを行う。
【００８８】
図６に示すように、同一の発明構想に基づき、本発明の実施例は、ネットワーク側装置を提供し、該装置は少なくともプロセッサー６００と送受信機６１０とを含み、
プロセッサー６００は、メモリー中のプログラムを読み出し、
ユーザ装置ＵＥに対して、第１のＤＣＩフォーマットに対応するＤＣＩ情報ドメイン値のセットを配置するステップであって、前記ＤＣＩ情報ドメイン値のセットは、第１のＤＣＩフォーマットのＤＣＩを受信した場合、ＰＤＳＣＨとハイブリッド自動再送要求ＨＡＳＱフィードバックとのタイミング関係セットをＵＥに指示するステップと、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置するステップと、を含むプロセスを実行し、
送受信機６１０は、プロセッサーの制御によりデータを送信及び受信する。
【００８９】
図６において、バスアーキテクチャは、任意数の互いに接続するバスとブリッジとを含んでもよく、具体的にはプロセッサー６００で代表される１つ又は複数のプロセッサーと、メモリーで代表されるメモリーの各種の回路とが接続されている。バスアーキテクチャは、さらに周辺装置、電圧レギュレータ及び電力管理回路等のような各種の他の回路を接続してなるものであってもよく、これらはいずれも本分野に周知されるものであるので、本明細書ではそれをさらに説明しない。バスインターフェースは、インターフェースを提供する。送受信機６１０は、複数の素子であってもよく、すなわち、送信機及び受信機を含み、伝送媒体において各種の他の装置と通信するための手段を提供する。プロセッサー６００は、バスアーキテクチャ及び通常の処理を管理し、メモリーは、プロセッサー６００が操作を実行する際に使用するデータを記憶することができる。
【００９０】
あるいは、前記送受信機６１０は、無線リソース制御（ＲＲＣ）メッセージを用いて、第１のＤＣＩフォーマットに対応して配置されたＤＣＩ情報ドメイン値のセットを前記ＵＥに通知する。
【００９１】
前記ＤＣＩ情報ドメイン値のセットに基づき、生成した第２のＤＣＩフォーマットのＤＣＩにおいて、指定された目標情報ドメインの現在値を設置する際に、前記プロセッサー６００は、
前記ＤＣＩ情報ドメイン値のセットから１つの値を選択して前記目標情報ドメインの現在値とすること、あるいは
第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とすること、を含む。
【００９２】
前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係をＵＥに指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロット間のタイミング関係をＵＥに指示すること、を含む。
【００９３】
あるいは、前記目標情報ドメインの現在値を設置した後、プロセッサー６００は、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側から下りデータを受信するようにＵＥをトリガーし、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側へのＨＡＲＱフィードバックを行うようにＵＥをトリガーする。
【００９４】
図７に示すように、同一の発明構想に基づき、本発明の実施例は、ユーザ装置を提供し、該装置は少なくともプロセッサー７００と送受信機７１０とを含み、
プロセッサー７００は、メモリーにおけるプログラムを読み出し、
ネットワーク側が第１のＤＣＩフォーマットに対応して配置したＤＣＩ情報ドメイン値のセットを特定するステップであって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップと、
ネットワーク側から送信された第２のＤＣＩフォーマットのＤＣＩを受信した場合、前記第２のＤＣＩフォーマットのＤＣＩにおける目標情報ドメインの現在値を取得するステップと、
前記目標情報ドメインの現在値が前記情報ドメイン値のセットの値の範囲を超えていないと特定した場合、前記目標情報ドメインの現在値が有効であると判定するステップと、を含むプロセスを実行し、
送受信機７１０は、プロセッサーの制御によりデータを送信及び受信する。
【００９５】
ここで、図７において、バスアーキテクチャは、任意数の互いに接続されたバス及びブリッジを含んでもよく、具体的に、プロセッサー７００で代表される１つ又は複数のプロセッサー及びメモリーで代表されるメモリーの各種の回路により接続されてなる。バスアーキテクチャは、さらに周辺装置、電圧レギュレータ及び電力管理回路等のような各種の他の回路により接続されてなるものであってもよく、これらはいずれも本分野に周知されるものであるので、本明細書ではそれをさらに説明しない。バスインターフェースは、インターフェースを提供する。送受信機７１０は、複数の素子、即ち、送信機及び受信機を含んでもよく、伝送媒体において各種の他の装置と通信する手段を提供する。異なるユーザ装置に対して、ユーザインターフェースは、さらに必要な装置を外部接続、内部接続できるインターフェースであり、接続される装置は、キーパッド、ディスプレイ、スピーカー、マイクロフォン、操縦レバー等を含むが、これらに限られない。
【００９６】
プロセッサー７００は、バスアーキテクチャ及び通常の処理を管理し、メモリーは、プロセッサー７００が操作を実行する時に使用するデータを記憶することができる。
【００９７】
あるいは、前記プロセッサー７００は、前記送受信機により、無線リソース制御（ＲＲＣ）メッセージに基づいて、ネットワーク側に配置された、第１のＤＣＩフォーマットに対応するＤＣＩ情報ドメイン値のセットを取得する。
【００９８】
あるいは、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係を指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロットとのタイミング関係を指示すること、を含む。
【００９９】
あるいは、前記目標情報ドメインの現在値が有効であると特定した後、前記プロセッサー７００は、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側から下りデータを受信し、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側へのＨＡＲＱフィードバックを行う。
【０１００】
同一発明構想に基づき、記憶媒体を提供し、該記憶媒体に下り制御情報（ＤＣＩ）における情報ドメイン値の特定を実現するためのプログラムが記憶されており、前記プログラムは、プロセッサーにより実行される場合、
ユーザ装置ＵＥに対して、第１のＤＣＩフォーマットに対応するＤＣＩ情報ドメイン値のセットを配置するステップであって、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示するステップと、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置するステップと、を実行する。
【０１０１】
同一発明構想に基づき、記憶媒体を提供し、該記憶媒体に下り制御情報（ＤＣＩ）における情報ドメイン値の特定を実現するためのプログラムが記憶されており、前記プログラムは、プロセッサーにより実行される場合、
ネットワーク側が第１のＤＣＩフォーマットに対応して配置したＤＣＩ情報ドメイン値のセットを特定するステップであって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップと、
ネットワーク側から送信された第２のＤＣＩフォーマットのＤＣＩを受信した場合、前記第２のＤＣＩフォーマットのＤＣＩにおける目標情報ドメインの現在値を取得するステップと、
前記目標情報ドメインの現在値が前記情報ドメイン値のセットの値の範囲を超えていないと特定した場合、前記目標情報ドメインの現在値が有効であると判定するステップと、を実行する。
【０１０２】
以上により、本発明の実施例において、ネットワーク側は、第１のＤＣＩフォーマットに対して情報ドメイン値のセットを設置した後、第２のＤＣＩフォーマットを用いてＤＣＩを端末に送信する際に、第１のＤＣＩフォーマットに対応して設置された情報ドメイン値のセットに基づいて、相応する情報ドメイン値を選択し、これに応じて、端末は、第１のＤＣＩに対応して設置された情報ドメイン値のセットを取得した後、第２のＤＣＩフォーマットに基づいて送信されたＤＣＩを受信した場合、その中の情報ドメイン値が第１のＤＣＩに対応して設置された情報ドメイン値の範囲を超えていない場合のみ、ＨＡＲＱフィードバックを行う。要するに、本発明の実施例は、ＮＯＮ−ｆａｌｌｂａｃｋ  ＤＣＩ（ＤＣＩフォーマット１＿１）中に配置されたタイミング関係が指示する値のセットに従い、フォールバック（ｆａｌｌｂａｃｋ）ＤＣＩ（即ち、ＤＣＩフォーマット１＿０）におけるタイミング関係が指示する値のセットを特定することにより、ｆａｌｌｂａｃｋ  ＤＣＩとＮＯＮ−ｆａｌｌｂａｃｋ  ＤＣＩにおけるタイミング関係が指示する値の範囲が異なることによるコードブック増大の問題を解決し、ＨＡＲＱフィードバックオーバーヘッドを有効に低下させ、さらに、システム運転負荷を低下させ、システム性能を保証する。
【０１０３】
当業者であれば、本発明の実施例は、方法、システム、又はコンピュータプログラム製品として提供可能であると理解されるべきである。従って、本発明は、全ハードウェア実施例、全ソフトウェア実施例、又はソフトウェアおよびハードウェアを組み合わせた実施例の形を用いることができる。しかも、本発明は、コンピュータ利用可能なプログラムコードが含まれている１つ又は複数のコンピュータ利用可能な記憶媒体（ディスクストレージ、ＣＤ−ＲＯＭ、光学ストレージ等を含むが、これらに限られない）において実施可能なコンピュータプログラム製品の形を用いることができる。
【０１０４】
本発明は、本発明の実施例による方法、装置（システム）、及びコンピュータプログラム製品のフローチャート及び／又はブロック図を参照しながら説明するものである。コンピュータプログラムコマンドにより、フローチャート及び／又はブロック図における各フロー及び／又はブロック、並びにフローチャート及び／又はブロック図のフロー及び／又はブロックの組み合わせを実現することができる。これらのコンピュータプログラムコマンドを汎用コンピュータ、特殊用途向けコンピュータ、組込型プロセッサー又は他のプログラミング可能データ処理装置のプロセッサーに提供して１つのマシンを作製することができ、コンピュータ又は他のプログラミング可能データ処理装置のプロセッサーにより実行されるコマンドにより、フローチャートの１つのフロー又は複数のフロー及び／又はブロック図における１つのブロック又は複数のブロックにおいて指定された機能を実現するための装置が作製可能となる。
【０１０５】
これらのコンピュータプログラムコマンドは、コンピュータ又は他のプログラミング可能データ処理装置を特定の方式で動作するように導くコンピュータ読取可能なメモリーに載せてもよく、該コンピュータ読取可能なメモリーに記憶されたコマンドにより、コマンド装置を含む製造品が作製可能となり、該コマンド装置は、フローチャートの１つのフロー又は複数のフロー及び／又はブロック図の１つのブロック又は複数のブロックにおいて指定された機能を実現する。
【０１０６】
これらのコンピュータプログラムコマンドは、コンピュータ又は他のプログラミング可能データ処理装置に載せてもよく、コンピュータ又は他のプログラミング可能装置において一連の操作ステップを実行してコンピュータによる処理が可能となり、コンピュータ又は他のプログラミング可能な装置において実行されるコマンドは、フローチャートの１つのフロー又は複数のフロー及び／又はブロック図の１つのブロック又は複数のブロックにおいて指定される機能を実現するためのステップを提供する。
【０１０７】
本発明の好適な実施例を説明しているが、当業者であれば、基本となる創造的概念を知っていれば、これらの実施例に対して別の変更及び変化を行うことができる。従って、請求の範囲は、好適な実施例及び本発明の範囲内の全ての変更及び変化を含むと解釈すべきである。
【０１０８】
もちろん、当業者は、本発明の実施例の趣旨及び範囲から逸脱しない限り、本発明の実施例に対して各種の変更及び変形を行うことができる。このようにして、本発明の実施例のこれらの変更及び変形が本発明の請求の範囲及びその他の同等な技術的範囲内に含まれていれば、本発明もこれらの変更及び変形を含む。
【符号の説明】
【０１０９】
40  配置手段
41  処理手段
50  特定手段
51  処理手段
600  プロセッサー
610  送受信機
700  プロセッサー
710  送受信機
【図１】
2021513292.tif 000003
【図２】
2021513292.tif 000004
【図３】
2021513292.tif 000005
【図４】
2021513292.tif 000006
【図５】
2021513292.tif 000007
【図６】
2021513292.tif 000008
【図７】
2021513292.tif 000009
【手続補正書】
【提出日】令和2年8月11日(2020.8.11)
【手続補正１】
【補正対象書類名】明細書
【補正対象項目名】００４０
【補正方法】変更
【補正の内容】
【００４０】
【図１】図１は本発明の実施例においてＤＣＩにおける各情報ドメイン間のタイミング関係の模式図である。
【図２】図２は本発明の実施例においてネットワーク側でＤＣＩにおける情報ドメイン値を特定する模式フローチャートである。
【図３】図３は本発明の実施例においてＵＥでＤＣＩにおける情報ドメイン値を特定する模式フローチャートである。
【図４】図４は本発明の実施例においてネットワーク側装置の論理的機能構造の模式図である。
【図５】図５は本発明の実施例においてユーザ装置の論理的機能構造の模式図である。
【図６】図６は本発明の実施例においてネットワーク側装置のエンティティ機能構造の模式図である。
【図７】図７は本発明の実施例においてユーザ装置のエンティティ機能構造の模式図である。
【手続補正２】
【補正対象書類名】特許請求の範囲
【補正対象項目名】全文
【補正方法】変更
【補正の内容】
【特許請求の範囲】
【請求項１】
ユーザ装置ＵＥに対して、第１のＤＣＩフォーマットに対応するＤＣＩ情報ドメイン値のセットを配置するステップであって、前記ＤＣＩ情報ドメイン値のセットは、第１のＤＣＩフォーマットのＤＣＩを受信した場合、ＵＥの各物理的チャンネルのうち、２つずつの物理的チャンネル間のタイムスロットオフセットをＵＥに指示するステップと、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置するステップと、
を含むことを特徴とする、下り制御情報ＤＣＩ中の情報ドメイン値を特定する方法。
【請求項２】
無線リソース制御ＲＲＣメッセージを用いて、第１のＤＣＩフォーマットに対応して配置されたＤＣＩ情報ドメイン値のセットを前記ＵＥに通知することを特徴とする、請求項１に記載の方法。
【請求項３】
前記ＤＣＩ情報ドメイン値のセットに基づき、生成した第２のＤＣＩフォーマットのＤＣＩにおいて、指定された目標情報ドメインの現在値を設置するステップは、
前記ＤＣＩ情報ドメイン値のセットから１つの値を選択して、前記目標情報ドメインの現在値とするステップ、あるいは
第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とするステップを含む
ことを特徴とする、請求項１に記載の方法。
【請求項４】
前記ＤＣＩ情報ドメイン値のセットは、第１のＤＣＩフォーマットのＤＣＩを受信した場合、ＵＥの各物理的チャンネルのうち、２つずつの物理的チャンネル間のタイムスロットオフセットをＵＥに指示するステップは、
前記ＤＣＩ情報ドメイン値のセットは、物理的下り制御チャンネルＰＤＣＣＨが所在するタイムスロットと物理的下り共有チャンネルＰＤＳＣＨが所在するタイムスロットとのタイミング関係をＵＥに指示するステップ、あるいは
前記ＤＣＩ情報ドメイン値のセットは、ＰＤＳＣＨが所在するタイムスロットと物理的上り制御チャンネルＰＵＣＣＨ又は物理的上り共有チャンネルＰＵＳＣＨが所在するタイムスロットとのタイミング関係をＵＥに指示するステップを含む
ことを特徴とする、請求項１、２又は３に記載の方法。
【請求項５】
前記目標情報ドメインの現在値を設置した後、さらに、
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側から下りデータを受信するようにＵＥをトリガーするステップと、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩをＵＥに送信し、前記第２のＤＣＩフォーマットのＤＣＩにおける目標情報ドメインの現在値に基づいてネットワーク側へのハイブリッド自動再送要求ＨＡＲＱフィードバックを行うようにＵＥをトリガーするステップと、
を含むことを特徴とする、請求項４に記載の方法。
【請求項６】
ネットワーク側により第１のＤＣＩフォーマットに対応して配置されたＤＣＩ情報ドメイン値のセットを特定するステップであって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップと、
ネットワーク側から送信された第２のＤＣＩフォーマットのＤＣＩを受信した場合、前記第２のＤＣＩフォーマットのＤＣＩにおける目標情報ドメインの現在値を取得するステップと、
前記目標情報ドメインの現在値が前記情報ドメイン値のセットの値の範囲を超えていないと特定した場合、前記目標情報ドメインの現在値が有効であると判定するステップと、
を含むことを特徴とする、下り制御情報ＤＣＩ中の情報ドメイン値を特定する方法。
【請求項７】
無線リソース制御ＲＲＣメッセージに基づいてネットワーク側により配置された、第１のＤＣＩフォーマットに対応するＤＣＩ情報ドメイン値のセットを取得することを特徴とする、請求項６に記載の方法。
【請求項８】
前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示するステップは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係を指示するステップ、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロットとのタイミング関係を指示するステップ、を含むことを特徴とする、請求項６に記載の方法。
【請求項９】
前記目標情報ドメインの現在値が有効であると特定した後、さらに、
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側から下りデータを受信するステップと、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側へのＨＡＲＱフィードバックを行うステップと、
を含むことを特徴とする、請求項６又は７に記載の方法。
【請求項１０】
ユーザ装置ＵＥに対して、第１のＤＣＩフォーマットに対応するＤＣＩ情報ドメイン値のセットを配置する配置手段であって、前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示する配置手段と、
第２のＤＣＩフォーマットを用いてＤＣＩをＵＥに送信すると特定した場合、前記ＤＣＩ情報ドメイン値のセットに基づき、生成した第２のＤＣＩフォーマットのＤＣＩにおいて、指定された目標情報ドメインの現在値を設置する処理手段と、
を含むことを特徴とする、下り制御情報ＤＣＩにおける情報ドメイン値を特定する装置。
【請求項１１】
前記処理手段は、無線リソース制御ＲＲＣメッセージを用いて、第１のＤＣＩフォーマットに対応して配置されたＤＣＩ情報ドメイン値のセットを前記ＵＥに通知する
ことを特徴とする、請求項１０に記載の装置。
【請求項１２】
前記ＤＣＩ情報ドメイン値のセットに基づき、生成した第２のＤＣＩフォーマットのＤＣＩにおいて、指定された目標情報ドメインの現在値を設置する際に、前記処理手段は、
前記ＤＣＩ情報ドメイン値のセットから１つの値を選択して前記目標情報ドメインの現在値とし、あるいは
第２のＤＣＩフォーマットに対応するもう１つのＤＣＩ情報ドメイン値のセットから１つの値を選択し、前記１つの値が第１のＤＣＩフォーマットに対応して配置された前記ＤＣＩ情報ドメイン値のセット中の最大値以下であると特定した場合、前記１つの値を前記目標情報ドメインの現在値とする
ことを特徴とする、請求項１０に記載の装置。
【請求項１３】
前記ＤＣＩ情報ドメイン値のセットは、第１のＤＣＩフォーマットのＤＣＩを受信した場合、ＵＥが使用する各物理的チャンネルのうち、２つずつの物理的チャンネル間のタイムスロットオフセットをＵＥに指示することは、
前記ＤＣＩ情報ドメイン値のセットは、第１のＤＣＩフォーマットのＤＣＩを受信した場合、ＰＤＣＣＨが所在するタイムスロットとＰＤＳＣＨが所在するタイムスロットとのタイミング関係をＵＥに指示すること、あるいは
前記ＤＣＩ情報ドメイン値のセットは、第１のＤＣＩフォーマットのＤＣＩを受信した場合、ＰＤＳＣＨが所在するタイムスロットとＰＵＣＣＨ又はＰＵＳＣＨが所在するタイムスロット間のタイミング関係をＵＥに指示すること、を含む
ことを特徴とする、請求項１０、１１又は１２に記載の装置。
【請求項１４】
ネットワーク側により第１のＤＣＩフォーマットに対応して配置されたＤＣＩ情報ドメイン値のセットを特定する特定手段であって、前記ＤＣＩ情報ドメイン値のセットは、第１のＤＣＩフォーマットのＤＣＩを受信した場合、使用される各物理的チャンネルのうち、２つずつの物理的チャンネル間のタイムスロットオフセットを指示する特定手段と、
ネットワーク側から送信された第２のＤＣＩフォーマットのＤＣＩを受信した場合、前記第２のＤＣＩフォーマットのＤＣＩにおける目標情報ドメインの現在値を取得し、前記目標情報ドメインの現在値が前記情報ドメイン値のセットの値の範囲を超えていないと特定した場合、前記目標情報ドメインの現在値が有効であると判定する処理手段と、
を含むことを特徴とする、下り制御情報ＤＣＩにおける情報ドメイン値を特定する装置。
【請求項１５】
前記目標情報ドメインの現在値が有効であると特定した後、前記処理手段は、さらに
ＰＤＣＣＨが所在するタイムスロットとＰＤＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側から下りデータを受信し、
ＰＤＳＣＨが所在するタイムスロットとＰＵＣＣＨ又はＰＵＳＣＨが所在するタイムスロットとのタイミング関係が前記ＤＣＩ情報ドメイン値のセットにより指示された場合、前記第２のＤＣＩフォーマットのＤＣＩにおける目標情報ドメインの現在値に基づいてネットワーク側へのＨＡＲＱフィードバックを行う
ことを特徴とする、請求項１４に記載の装置。
【国際調査報告】
2021513292.tif 000010
2021513292.tif 000011
2021513292.tif 000012
2021513292.tif 000013